(57)【要約】【課題】ストロー等により飲用される飲料の包装体とされた直方体形状の飲料パックを保持するための飲料パック用ホルダーを提供する。【解決手段】ホルダー(1)は、断面形状が平行四辺形となるように連結された４枚の板壁を有する角筒体(4)により直方体形状の飲料パック(5)を保持し、相対向する一対の板壁(2a,3a)の下端から内側に向けて延設した舌片(7)により飲料パック(5)の底部を支持するように構成されている。相対向する一対の板壁(2a,3a)(2b,2b)は、ヒンジ(10,11)を介して平行移動することにより角筒体(4)を偏平状に変形可能としており、前記舌片(7)と板壁(2b)の下端縁との間に設けられた係止手段(12)を係止することにより偏平状態を保持する。【選択図】図１
0003170377.tif 000002
【実用新案登録請求の範囲】
【請求項１】
断面形状が平行四辺形となるように連結された４枚の板壁を有する角筒体(4)を構成し、該角筒体の内側空間により直方体形状の飲料パック(5)を保持する保持室(6)を形成し、相対向する一対の板壁(2a,3a)の下端から内側に向けて舌片(7)を延設することにより、前記保持室(6)に保持される飲料パック(5)の底部を前記舌片(7)により支持するように構成したホルダーであり、
前記板壁の相互に隣り合う連結側縁部にヒンジ(10,11)を形成し、該ヒンジを介して相対向する一対の板壁(2a,3a)(2b,2b)を平行移動させることにより角筒体(4)を偏平状に変形可能となるように構成し、
角筒体(4)を偏平状態に変形したとしたとき、前記舌片(7)と、該舌片の上に臨む板壁(2b)の下端縁との間に、相互に係脱自在に係止する係止手段(12)を設けて成ることを特徴とする飲料パック用ホルダー。
【請求項２】
前記係止手段(12)は、溝(12a)と、該溝に係脱自在に係止する突起(12b)により構成され、前記溝(12a)を可撓性合成樹脂により形成した舌片(7)に設け、前記突起(12b)を前記舌片の上に臨む板壁(2b)の下端縁から下向きに突設し、前記舌片(7)は、該板壁(2b)の下端縁を超えて延びる摘み片(7a)を備えて成ることを特徴とする請求項１に記載の飲料パック用ホルダー。
【請求項３】
正面板壁(2a)の両側にヒンジ(10)を介して左右側面板壁(2b,2b)を設けた第１構成体(2)と、背面板壁(3a)の両側にヒンジ(11)を介して左右伸縮用板壁(3b,3b)を設けた第２構成体(3)を備え、前記左右伸縮用板壁(3b,3b)を前記左右側面板壁(2b,2b)に摺動自在に結合することにより前記角筒体(4)を形成して成ることを特徴とする請求項１又は２に記載の飲料パック用ホルダー。
【請求項４】
前記背面板壁(3a)を可撓性合成樹脂により形成すると共に、該背面板壁(3a)にＵ形のスリット(14)を形成することにより、該スリットに囲まれたクリップ片(15)を設けて成ることを特徴とする請求項３に記載の飲料パック用ホルダー。
【考案の詳細な説明】
【技術分野】
【０００１】
本考案は、ストロー等により飲用される飲料の包装体とされた直方体形状の飲料パックを保持するための飲料パック用ホルダーに関する。
【背景技術】
【０００２】
飲料パックの飲料は、ユーザが該パックの上部の小穴にストローを挿入し、飲料を吸引することにより飲用される。しかしながら、飲料パックは、紙製のため、手指により強く把持すると、内部の飲料がストローから噴き出し、口元から溢れ出るおそれがある。特に、幼児や児童の場合、その危険が大きい。
【０００３】
このため、飲料パック用ホルダーが提案されており、該ホルダーは、飲料パックを保持するカップ状に形成され、幼児や児童が両手で把持できるグリップを設けている。
【先行技術文献】
【特許文献】
【０００４】
【特許文献１】特開２００３−２６７４３６号公報
【考案の概要】
【考案が解決しようとする課題】
【０００５】
カップ状のホルダーは、嵩張るため、例えば、子連れ等で外出する際に、携帯に不便である。従って、折畳み自在となるように構成することが望ましい。
【０００６】
しかも、折畳み構造に関しては、簡単な構造で製造が容易であると共に、ユーザが折畳み状態と展開状態をワンタッチの操作で簡単容易に行うことができるように構成することが望ましい。
【課題を解決するための手段】
【０００７】
本考案は、上記課題を解決した飲料パック用ホルダーを提供するものであり、その手段として構成したところは、断面形状が平行四辺形となるように連結された４枚の板壁を有する角筒体を構成し、該角筒体の内側空間により直方体形状の飲料パックを保持する保持室を形成し、相対向する一対の板壁の下端から内側に向けて舌片を延設することにより、前記保持室に保持される飲料パックの底部を前記舌片により支持するように構成したホルダーであり、前記板壁の相互に隣り合う連結側縁部にヒンジを形成し、該ヒンジを介して相対向する一対の板壁を平行移動させることにより角筒体を偏平状に変形可能となるように構成し、角筒体を偏平状態に変形したとしたとき、前記舌片と、該舌片の上に臨む板壁の下端縁との間に、相互に係脱自在に係止する係止手段を設けて成る点にある。
【０００８】
本考案の実施形態において、前記係止手段は、溝と、該溝に係脱自在に係止する突起により構成され、前記溝を可撓性合成樹脂により形成した舌片に設け、前記突起を前記舌片の上に臨む板壁の下端縁から下向きに突設し、前記舌片は該板壁の下端縁を超えて延びる摘み部を備えている。
【０００９】
本考案の実施形態に係る飲料パック用ホルダーは、正面板壁の両側にヒンジを介して左右側面板壁を設けた第１構成体と、背面板壁の両側にヒンジを介して左右伸縮用板壁を設けた第２構成体を備え、前記左右伸縮用板壁を前記左右側面板壁に摺動自在に結合することにより前記角筒体を形成することが好ましい。
【００１０】
この際、前記背面板壁を可撓性合成樹脂により形成すると共に、該背面板壁にＵ形のスリットを形成することにより、該スリットに囲まれたクリップ片を設けることが好ましい。
【考案の効果】
【００１１】
本考案によれば、ホルダー１を構成する角筒体４は、断面形状をほぼ正方形とした展開状態から、ヒンジ１０、１１を介して相対向する一対の板壁（正面板壁２ａと背面板壁３ａの一対と左右側面板壁２ｂ、２ｂの一対）を平行移動させることにより、偏平状とされた折畳み状態となるように変形可能であり、コンパクトに折畳んだ状態で携行できるので、携帯に便利となる。
【００１２】
ところで、筒状の展開状態から偏平な折畳み状態まで変形した角筒体４は、ヒンジ１０、１１の反発力により筒状の展開状態に向けて戻ろうとする力が作用しているが、舌片７と、該舌片７に臨まされる板壁２ｂを、相互に係脱自在な係止手段１２により係止するので、前記ヒンジ１０、１１の反発力に抗して４枚の板壁を偏平な折畳み状態に保持できるという効果がある。
【００１３】
この際、請求項２に記載の本考案によれば、ユーザが指先で摘み部７ａを板壁２ｂの下端縁から引き離す方向に変形させてやれば、簡単に係止手段１２が外れ、ヒンジ１０、１１の反発力により係止手段１２が自動的に係止を解除した状態に保たれるという利点がある。
【００１４】
そして、請求項３に記載の本考案によれば、隣り合う板壁がそれぞれヒンジ１０、１１を介して相互に折曲自在かつ展開自在であると共に、第２構成体３の左右伸縮用板壁３ｂ、３ｂを第１構成体２の左右側面板壁２ｂ、２ｂに摺動自在に結合しているので、角筒体４を押し潰し状態となるように折畳んだとき、一方の側面板壁２ａと正面板壁２ａが重なり合い、他方の側面板壁２ａと背面板壁３ａが重なり合い、最も薄くなる偏平状態まで折畳むことができる。
【００１５】
更に、請求項４に記載の本考案によれば、任意の差込み自在な固定部位にクリップ片１５を差し込むことにより、飲料パック５を保持したホルダー１を固定保持させることができる。
【図面の簡単な説明】
【００１６】
【図１】本考案の１実施形態に係る飲料パック用ホルダーを展開した使用状態を示す斜視図である。
【図２】本考案の１実施形態に係る飲料パック用ホルダーの折畳み状態を示す斜視図である。
【図３】本考案の１実施形態に係る飲料パック用ホルダーの構成部品を分解した状態で正面側から見た斜視図である。
【図４】本考案の１実施形態に係る飲料パック用ホルダーの構成部品を分解した状態で背面側から見た斜視図である。
【図５】本考案の１実施形態に係る飲料パック用ホルダーの折畳み状態を示しており、（Ａ）は横断面図、（Ｂ）は底面図である。
【考案を実施するための形態】
【００１７】
以下図面に基づいて本考案の好ましい実施形態を詳述する。
【００１８】
図１に示すように、ホルダー１は、断面形状が平行四辺形となるように連結された合成樹脂製の４枚の板壁、即ち、正面板壁２ａと、該正面板壁２ａに隣接する左右側面板壁２ｂ、２ｂと、背面板壁３ａを有する角筒体４を構成し、該角筒体４の内側空間により直方体形状の飲料パック５を保持する保持室６を形成している。前記角筒体４の相対向する一対の板壁、図示実施形態の場合は、正面板壁２ａと背面板壁３ａは、下端部に内側に向けて一体成形された舌片７、７を延設しており、これにより前記保持室６に保持される飲料パック５の底部を支持するように構成している。
【００１９】
また、前記角筒体４の相対向する一対の板壁、図示実施形態の場合は、左右側面板壁２ｂ、２ｂには、ユーザが両手で把持できるように合成樹脂製のグリップ８、８が設けられる。各グリップ８は、前記側面板壁２ｂに一体成形された軸受部９に対して縦軸廻りに回動自在に枢結され、図１に示すように側面板壁２ｂから突出する使用時姿勢と、図２に示すように側面板壁２ｂに重なり合う不使用時姿勢を可能とし、前記使用時姿勢と不使用時姿勢との間で回動自在である。
【００２０】
前記角筒体４を構成する板壁の相互に隣り合う連結側縁部にはヒンジ１０、１１が形成されている。図示実施形態の場合、図３及び図４に示すように、角筒体４は、正面板壁２ａの両側にヒンジ１０、１０を介して左右側面板壁２ｂ、２ｂを設けた第１構成体２と、背面板壁３ａの両側にヒンジ１１、１１を介して左右伸縮用板壁３ｂ、３ｂを設けた第２構成体３を備えており、前記左右伸縮用板壁３ｂ、３ｂを前記左右側面板壁２ｂ、２ｂの内側に形成された摺動レール２ｃ、２ｃに摺動自在に挿入し結合することにより角筒体４を構成している。
【００２１】
従って、図１に示すように、第１構成体２と第２構成体３により組み立てられた角筒体４は、正面板壁２ａと左右側面板壁２ｂ、２ｂの連結側縁部にヒンジ１０、１０が設けられ、左右側面板壁２ｂ、２ｂと背面板壁３ａの連結側縁部にヒンジ１１、１１が設けられ、これにより、図１に示す断面形状をほぼ正方形とした展開状態から、前記ヒンジ１０、１１を介して相対向する一対の板壁（正面板壁２ａと背面板壁３ａの一対と左右側面板壁２ｂ、２ｂの一対）を平行移動させることにより、図２に示すように、偏平状とされた折畳み状態となるように変形可能である。
【００２２】
図示実施形態の場合、隣り合う板壁がそれぞれヒンジ１０、１１を介して相互に折曲自在かつ展開自在であると共に、上述のように左右伸縮用板壁３ｂ、３ｂを左右側面板壁２ｂ、２ｂに対して摺動自在としているので、角筒体４を押し潰し状態となるように折畳んだとき、図２及び図５に示すように、一方の側面板壁２ｂと正面板壁２ａが重なり合い、他方の側面板壁２ｂと背面板壁３ａが重なり合い、最も薄くなる偏平状態まで折畳まれる。
【００２３】
このような偏平とされた折畳み状態において、正面板壁２ａに設けられた舌片７は、一方の側面板壁２ｂの下端縁に臨んで重なり、背面板壁３ａに設けられた舌片７は、他方の側面板壁２ｂの下端縁に臨んで重なる。
【００２４】
前記のような重ねられた状態において、舌片７と該舌片７に臨む側面板壁２ｂの下端縁の間には、相互に係脱自在に係止する係止手段１２が設けられている。図示実施形態の場合、図５（Ｂ）に示すように、係止手段１２は、溝１２ａと、該溝１２ａに係脱自在に係止する突起１２ｂにより構成され、前記溝１２ａを舌片７に設け、前記突起１２ｂを側面板壁２ｂの下端縁から下向きに突設している。従って、角筒体４を筒状とされた展開状態から偏平とされた折畳み状態となるように変形したとき、ワンタッチで前記突起１２ｂが溝１２ａに嵌入して係止し、偏平とされた折畳み状態を保持する。
【００２５】
前記第１構成体２及び第２構成体３は、それぞれが可撓性のある合成樹脂により一体成形され、成形時にそれぞれの隣り合う板壁の連結側縁部を薄肉とすることにより前記ヒンジ１０、１１が形成されている。従って、筒状の展開状態から偏平な折畳み状態まで変形したとき、ヒンジ１０、１１の反発力により筒状の展開状態に向けて戻ろうとする力が作用している。この点に関して、前記係止手段１２を設けた構成によれば、可撓性により後退する舌片７の表面を突起１２ｂが好適に滑動し、溝１２ａに嵌入して係止することによりヒンジ１０、１１の反発力に抗して４枚の板壁を偏平な折畳み状態に保持する。
【００２６】
図示実施形態の場合、溝１２ａは舌片７を貫通するスリットにより形成され、突起１２ｂは側面板壁２ｂの下端縁から突出するリブにより形成されているが、溝１２ａは、有底溝により形成しても良い。
【００２７】
図５（Ｂ）に示すように、前記折畳み状態において、舌片７は、側面板壁２ｂの下端縁を超えて延びる摘み部７ａを備えている。従って、ユーザが指先で摘み部７ａを側面板壁２ｂの下端縁から引き離す方向に変形させてやれば、係止手段１２が外れ、ヒンジ１０、１１の反発力により溝１２ａと突起１２ｂを離反させるので、４枚の板壁による断面形状がほぼ正方形となるように展開し、図１に示すように角筒体４を筒状として使用すれば良い。
【００２８】
或いは、一対のグリップ８、８を把持して相互に離反方向に力を加えれば、舌片７の可撓性を介して溝１２ａと突起１２ｂが引き離され、このようにして係止手段１２の係止を解除することもできる。
【００２９】
図４に示すように、第２構成体３の左右伸縮用板壁３ｂ、３ｂの自由端側の上下縁部には、突縁１３ａが形成されている。これに対して、前記左右伸縮用板壁３ｂ、３ｂを摺動自在に挿入させる第１構成体２における左右側面板壁２ｂ、２ｂの摺動レール２ｃ、２ｃには、自由端側のレール開口部に臨むストッパー１３ｂが設けられている。左右伸縮用板壁３ｂ、３ｂは、撓ませた突縁１３ａをストッパー１３ｂに乗り越えさせることにより、摺動レール２ｃ、２ｃに挿入される。従って、摺動自在に結合される左右側面板壁２ｂ、２ｂと左右伸縮用板壁３ｂ、３ｂは、図１に示すような最も収縮された状態から、前記突縁１３ａがストッパー１３ｂに当接するまで摺動することにより伸長可能であり、これにより保持室６を拡縮自在としており、異なる形状及び大きさの飲料パック５に対応可能となるように構成されている。
【００３０】
前記背面板壁３ａには、Ｕ形のスリット１４を形成することにより、該スリット１４に囲まれたクリップ片１５が形成されている。クリップ片１５は、図示のように湾曲するように成形することが好ましく、ユーザの衣服の胸ポケットや、自動車の室内の地図入れ用ポケットや、その他の差込み自在な部位にクリップ片１５を差し込むことにより、飲料パック５を保持したホルダー１を固定保持させることができる。
【符号の説明】
【００３１】
１  ホルダー
２  第１構成体
２ａ  正面板壁
２ｂ  側面板壁
２ｃ  摺動レール
３  第２構成体
３ａ  背面板壁
３ｂ  伸縮用板壁
４  角筒体
５  飲料パック
６  保持室
７  舌片
７ａ  摘み部
８  グリップ
１０、１１  ヒンジ
１２  係止手段
１２ａ  溝
１２ｂ  突起
１４  スリット
１５  クリップ片
【図１】
0003170377.tif 000003
【図２】
0003170377.tif 000004
【図３】
0003170377.tif 000005
【図４】
0003170377.tif 000006
【図５】
0003170377.tif 000007